Podtech/llm-jp-corpus-v4-ja_patent huggingface dataset:
(57)【要約】【課題】  マフラー、ストールなど矩形の布で首をおおっても首が前傾しているためしっくりと合わなかった。  本発明は首の角度に沿ったネックウェアーを提供する。【解決手段】  矩形の布地から成る基布体において、二つの長手辺が首に巻いた時に下方へ膨らみ首の前傾角度に沿うようにほぼ平行的に浅く湾曲して大きな円弧状になり、中央域が両端よりも僅かに巾広に形成されて両端部に合わせ止め部を備えることを特徴とするネックウェアー。【選択図】図１
2017203241.tif 000002
【特許請求の範囲】
【請求項１】
矩形の布地から成る基布体において、二つの長手辺が、首に巻いた時に下方へ膨らみ、首の前傾角度に沿うようにほぼ平行的に浅く湾曲して大きな円弧状になり、中央域が両端よりも僅かに巾広に形成されており、両端部に合わせ止め部を備えることを特徴とするネックウェアー。
【請求項２】
合わせ止め部の代わりに、長手辺両端部からしなやかに布地が連続的に延長されて合わせ結び部を備えることを特徴とする請求項１に記載のネックウェアー。
【発明の詳細な説明】
【技術分野】
【０００１】  本発明は、首のしわ、たるみをおおい隠すものである。
【背景技術】
【０００２】  従来、首をおおうものにマフラー、ストール、ネックカバーがあった。
【発明の概要】
【発明が解決しようとする課題】
【０００３】  マフラー、ストールなど矩形の布で首をおおうと、首が前傾しているためしっくり合わなかった。
本発明は以上の問題点を解決するためになされたものである。
【課題を解決するための手段】
【０００４】  矩形の布地から成る基布体において、二つの長手辺が、首に巻いた時に下方へ膨らみ、首の前傾角度に沿うようにほぼ平行的に浅く湾曲して大きな円弧状になり中央域が両端よりも僅かに巾広に形成されて両端部に合せ止め部を備える。
以上の構成よりなるネックウェアー。
【発明の効果】
【０００５】  本発明のネックウェアーは首の傾斜に合わせているため、つけ心地が大変よく、首まわりが美しく、華やかになる。
【図面の簡単な説明】
【０００６】
【図１】本発明の平面図
【図２】本発明の使用状態を示す側面図
【図３】本発明の実施例を示す正面図
【発明を実施するための形態】
【０００７】  以下、本発明の実施の形態を説明する。
（イ）矩形の布地から成る基布体（１）の二つの長手辺（２）を首の前傾角度に沿うようにほぼ平行的に浅く湾曲して大きな円弧状にする。
（ロ）中央域（３）を両端（４）よりも僅かに巾広に形成する。
（ハ）両端部に合わせ止め部（４）を設ける。
本発明は以上のような構造である。
本発明を使用するときは、下方へ湾曲している長手辺（２）の中央上部（３）をあごの下に当て、短いものでは首後ろの止め部（４）をとめる。
合わせ止め部（４）の代わりに、長手辺両端部からしなやかに布地が延長されている場合は結び目（５）を前部に設けることができる。
夏用は穴のあいたレース地を、冬用は保温性のある布地を用いる。
アクセサリーをつけることでおしゃれになる。
【符号の説明】
【０００８】（１）基布体    （２）長手辺    （３）中央域    （４）合わせ止め部    （５）結び目    （６）ネックウェア
【図１】
2017203241.tif 000003
【図２】
2017203241.tif 000004
【図３】
2017203241.tif 000005
(57)【要約】【課題】  引き出し操作で、取っ手に指を差し入れ引出しを引く自然の動作で固定を外すことが可能で、前後両方に所定の位置で止まり、収納時には確実に固定され、地震の揺れでも引き出しが出てこない引出し固定装置の提供を課題とする。【解決手段】  引出し（１）の取っ手（２）に跳ね上げ板（４）を設け、回転自在に軸（１０）で連動した鉤（３）を取り付ける。係止部（６）を配置した案内板（５）を収納棚側面（７）の内側に設ける。以上の機構を引出し（１）の平面基準に回転対称に配置したことを特徴とする。【選択図】図１
2017198052.tif 000002
【特許請求の範囲】
【請求項１】
引出し（１）の取っ手（２）に跳ね上げ板（４）を設け、回転自在に軸（１０）で連動した鉤（３）を取り付ける。係止部（６）を配置した案内板（５）を収納棚側面（７）の内側に設ける。以上の機構を引出し（１）の平面基準に回転対称に配置したことを特徴とする両面引き出しの引き出し固定装置。
【発明の詳細な説明】
【技術分野】
【０００１】  本発明は、両面引出しに於いての引出しを固定する装置に関するものである。
【背景技術】
【０００２】  前面と背面の両面に引出しの出入りが可能な構造の収納棚などの引き出しは、地震時に飛び出ない為の引出しの固定装置が必要である。
一般に前後の出入りは引出しレールなどを利用し、収納時の引き出し固定、引き出した時の引き出し固定を何らかの機構で行わなければならない。しかし、引き出しの出し入れの操作が違和感なく引出しを出し入れする普通の動作で行える適切な機構はなかった。
【発明の概要】
【発明が解決しようとする課題】
【０００３】  引き出し操作で、取っ手に指を差し入れ引出しを引く自然の動作で固定を外すことが可能で、前後両方に所定の位置で止まり、収納時には確実に固定され、地震の揺れでも引き出しが出てこない引出し固定装置の提供を課題とする。
【課題を解決する手段】
【０００４】    引出し（１）の取っ手（２）に跳ね上げ板（４）を設け、回転自在に軸（１０）で連動した鉤（３）を取り付ける。係止部（６）を配置した案内板（５）を収納棚側面（７）の内側に設ける。以上の機構を引出し（１）の平面基準に回転対称に配置する。
本発明は、以上の構成よりなる両面引出しの引出し固定装置である。
【発明の効果】
【０００５】  本発明は、収納時には引出し（１）は鉤（３）が案内板（５）の係止部（６）に掛かり固定されているが、引出し（１）を引き出す時に取っ手（２）に指を差し入れると指が跳ね上げ板（４）を上に回転させて連動した鉤（３）も回転し係止部（６）から外れ引き出すことができる。さらに引き出すと回転対称に位置する鉤（３）の先端部（８）が案内板（５）の手前側の係止部（６）に当接し止まることで引き出し（１）は抜けてしまうことはない。
また、回転対称に左右に配置した鉤（３）と案内板（５）により手前と奥に引出しても同じ操作になる。
引出し（１）を収めた時は、回転対称に配置した両方の鉤（３）で係止され、地震時でも前後に飛び出すことはない。
【図面の簡単な説明】
【０００６】
【図１】  本発明の平面図である。
【図２】  本発明の引き出しを引き出した時の平面図である。
【図３】  本発明の斜視図である。
【図４】  本発明の案内板の他の実施例をしめす斜視図である。
【発明を実施するための形態】
【０００７】  以下、本発明を実施するための形態を説明する。
収納棚側面（７）にガイドレール（９）で前後両方に引き出せる引出し（１）を配置し、前面に取り付けた取っ手（２）に跳ね上げ板（４）と横方向引出し側面に突き出た軸（１０）を連結させ、先端に鉤（３）を取り付ける。
鉤（３）の下に前後方向に溝（１１）と上角に傾斜面（１３）を設けた案内板（５）を収納棚側面（７）に取り付ける。
鉤（３）は、跳ね上げ板（４）の奥側が下に回転し下がった状態で案内板（５）の係止部（６）にかかる状態で配置すれば良い。
上記の片側に配置した跳ね上げ板（４）、軸（１０）、鉤（３）、案内板（５）を引出し（１）の平面中心で回転対称に対面側に配置すれば、両面引き出しができる。
案内板（５）に設けた溝の長さは、引き出した時に当接する鉤（３）の先端部（８）位置で引き出し（１）の出方が決まるので適当な長さに調節すれば良い。
案内板（５）は図３が示すように係止部（１２）が段差にした形状で実施しても良い。段差形状の係止部（１２）が鉤（３）にかかり同じ作用をする。
本発明は、以上のような構造である。
本発明を使用するときは、引出し（１）の取っ手（２）に指を差し入れると跳ね上げ板（４）が上に回転し跳ね上がり鉤（３）も連動し回転し案内板（５）の係止部（６）から外れ、引き出しが引き出せる。ある程度引き出した時点で回転対称に配置した鉤（３）の先端部（８）が同じように回転対称に配置した案内板（５）の溝（１１）の手前側の係止部（６）に当接し、引出しの出が止まる。
更に引出し（１）を押して戻すと回転対称に配置した鉤（３）の両方が係止部（６）掛かり固定される。その時に傾斜面（１３）は鉤（３）が滑らかに滑って案内板（５）に乗る役目をする。
奥側に引出し時も手前側に引き出すのと同様に作用し引出し（１）は引出され固定される。
【符号の説明】
【０００８】  １    引出し
２    取っ手
３    鉤
４    跳ね上げ板
５    案内板
６    係止部
７    キャビネット
８    先端部
９    カイドレール
１０  軸
１１  溝
１２  係止部
１３  傾斜面
【図１】
2017198052.tif 000003
【図２】
2017198052.tif 000004
【図３】
2017198052.tif 000005
【図４】
2017198052.tif 000006
(57)【要約】      （修正有）【課題】動力用パルス衝突型核融合炉に「パルス液滴ターゲット」を追加して、衝突確率は向上した。次の課題は「Ｄ＋Ｄ連鎖２次衝突型核融合反応」を発生させる方法である。これにより、理論的エネルギー利得（ｇａｉｎ）が格段に向上する。【解決手段】液ターゲットをリング状に形成し（液リング）、その内面に斜め上方から加速したＤ粒子ビームを衝突させると、１次衝突型Ｄ＋Ｄ核融合反応が発生する。この時に同時に発生する高いエネルギーレベルのトリチム粒子は、四方に飛散するので、これらを周囲の「液リング」でキャッチして、「Ｄ＋Ｄ連鎖２次衝突型核融合反応」を発生させる。炉の形状は以前の球形炉から円筒形の炉にしたほうが、設計・製作・調整上利点が多い。【選択図】図１
2017198643.tif 000002
【特許請求の範囲】
【請求項１】
円筒形の炉の中央に、液体重水素の短い同一長さの円柱状の液柱１８本をリング状に、お互い間に隙間のないように、それらの上端が同一高さになるように噴き上げる。できあがった液体重水素のリングをターゲットとして、その内面に向かって、斜め３０度の上方から加速した重水素のビームを衝突させて、動力用のＤ＋Ｄ１次核融合反応を発生させ、同時にＤ＋Ｄ連鎖２次核融合反応を発生させる方法。
【請求項２】
基本的には請求項１と同じだが、液体重水素のターゲットリングのオープンになっている上面と下面をカバーするように、円盤状に液体重水素の短い円柱状の液柱をシンクロ化して噴き上げて、ターゲットリングの上面と下面にカバーを形成する方法。
【発明の詳細な説明】
【技術分野】
【０００１】本発明は、ターゲット式パルス衝突型核融合炉に関する。
【背景技術】
【０００２】特願２０１３−２３０６１６（液ターゲット式パルス衝突型（球形）核融合炉）では、液ターゲット式を採用して、衝突確率が向上した。しかしＤ＋Ｄ連鎖２次核融合反応に対処するための具体的な方法については、未提示であった。
【先行技術文献】
【０００３】Ｔｒａｎｓｍｕｔａｔｉｏｎ  Ｅｆｆｅｃｔｓ  Ｏｂｓｅｒｖｅｄ  ｗｉｔｈ  Ｈｅａｖｙ  Ｈｙｄｒｏｇｅｎ
Ｂｙ  Ｍ．Ｌ．Ｅ．Ｏｌｉｐｈａｎｔ，Ｐｈ．Ｄ．（Ｍｅｓｓｅｌ  Ｒｅｓｅａｒｃｈ  Ｆｅｌｌｏｗ  ｏｆ  ｔｈｅ  Ｒｏｙａｌ  Ｓｏｃｉｅｔｙ）
Ｐ．Ｈａｒｔｅｃｋ，ｐｈ．Ｄ．，ａｎｄ  Ｌｏｒｄ  Ｒｕｔｈｅｆｏｒｄ，ｏ．Ｍ．，Ｆ．Ｒ．Ｓ．
2017198643.tif 000003
【０００４】特願２０１３−２３０６１６
（液ターゲット式パルス衝突型核融合炉）
【発明の概要】
【発明が解決しようとする課題】
【０００５】動力用パルス衝突型核融合炉に「パルス液滴ターゲット」を追加して、衝突確率は向上した。次の課題は「Ｄ＋Ｄ連鎖２次衝突型核融合反応」を発生させる方法である。
これにより理論的エネルギー利得（ｇａｉｎ）が格段に向上する。また同時に厄介なトリチウムの処理が軽減できるので、一挙両得である。
【解決の手段】
【０００６】液ターゲットをリング状（液リング）に形成し、その内面に斜め上方から加速したＤ粒子ビームを衝突させると、１次衝突型Ｄ＋Ｄ核融合反応が発生する。
【０００７】この時に同時に発生する高いエネルギーレベルのトリチウム粒子は、四方に飛散するので、これらを周囲の「液リング」でキャッチして、「Ｄ＋Ｄ連鎖２次衝突型核融合反応」を発生させる。炉の形状は以前の球形炉から円筒状に変更する。設計・製作・調整上利点が多い。
【発明の効果】
【０００８】液ターゲットの形状をリング状にしたので、通常の噴水で見る如く、ごく自然に噴き上げて空中で停止した瞬間に、Ｄ粒子ビームを照射すればよいので、設計、製作、調整が容易になる。
【０００９】特願２０１３−２３０６１６は発電所用核融合炉を前提条件にしているので球形炉であったが、本願は円筒形の炉にしたので、ターゲットと加速器セットとの距離を短縮できる。したがって核融合炉の大きさを先ず小型からスタートし、実績を積みながら大型まで進むことができる。
【００１０】Ｄ粒子加速ビームセットを円筒形の炉の限られた範囲に設置すればよいので、ブランケットの設計、製作、据え付けが容易になる。
【００１１】液ターッゲトが小粒のものから液リングの内面（点→面）になったので、Ｄ粒子加速ビームセットから中性管を除外することが可能になった。
【発明を実施するための形態】
【００１２】まず小皿に入れた液体の重水素に斜め上方から加速Ｄ粒子ビームを衝突させる方法からスタートする。次はピペットから液体重水素を数滴噴き上げてターゲットとする。実績を積み重ねながらターゲットの液リングを目指す。
【産業上の利用可能性】
【００１３】２０１１年３月に発生した東日本大震災により、福島第一原発はメルトダウンした。この事故により脱原発の機運はさらに増大した。【００１４】また地球温暖化は増々その勢いを増しつつある。政府は２０５０年にはＣＯ２の排出量を８０％削減すると世界に約束した。クリーンな動力用融合炉の実現が熱望されている。【００１４】実験報告書について、
古典的なものでは、オリファント、ハーテック、ラザフォードの３人が書いた論文
「Ｔｒａｎｓｍｕｔａｔｉｏｎ  Ｅｆｆｅｃｔｓ  Ｏｂｓｅｒｖｅｄ  ｗｉｔｈ  Ｈｅａｖｙ  Ｈｙｄｒｏｇｅｎ  」
（前出）がある。時代的な制限があり、純粋な重水素ではなく、重水素の化合物の液体をターゲットとしているが、基本的には本願と同じである。【００１５】現在進行形の実験について。
雨だれターゲット式あるいは小皿上の液滴ターゲット式の実験は、現在どこかの研究所で現在進行中と推定する。この実験結果は影響する範囲が大きいので、いずれ頃合いを見計らって公表されるものと期待している。
【図面の簡単な説明】
【００１６】
【図１】液体重水素をリング状にして、これをターゲットとして、加速Ｄビームを衝突させて、１次核融合反応を発生させる方法とその結果生ずるトリチウムを液体重水素のリングと衝突させて連鎖２次核融合反応を発生させる方法の説明用の略図。
【００１７】
【図２】Ｄ＋Ｄ１次核融合反応と連鎖２次核融合反応の理論的利得（ｇａｉｎ）について説明している。かなりユニークなものなので、エンジアリング的な立場からは、拒絶反応が出るものと推定する。
【符号の説明】
【００１８】ＬＤＴＲ：液体重水素ターゲットリング【００１９】ＬＤＴＧ：同上  上部ガード【００２０】ＬＤＵＧ：液体ターゲットリング  下部ガード【００２１】ＬＤＪＳ：同上  ジェット（噴き上げ）システム
ＤＡＣＢ：重水素加速ビーム
ＩＳＡＣＳ：イオン源＋重水素粒子加速システム
ＰＤＤＦ：Ｄ＋Ｄ１次衝突型核融合発生場所を１ビーム・Ｉケ所だけ取り上げて概念的に示している。
【図１】
2017198643.tif 000004
【図２】
2017198643.tif 000005
(57)【要約】      （修正有）【課題】ヘッドマウントディスプレイ使用時における、肌に密着する部分への汗及び皮脂の付着、これを複数人で使い回しをすることによる衛生上の問題及び長期間使用による異臭を解決する方法を提供する。【解決手段】ヘッドマウントディスプレイ２の利用前に、ヘッドマウントディスプレイの形状に合わせた使い捨てカバー１を装着して利用する。【選択図】図１
2017153053.tif 000002
【特許請求の範囲】
【請求項１】
ヘッドマウントディスプレイの肌に密着する部分に装着する使い捨てカバー。
【発明の詳細な説明】
【技術分野】
【０００１】
本発明は、ヘッドマウントディスプレイの肌に密着する部分に関する。
【発明の概要】
【発明が解決しようとする課題】
【０００２】
ヘッドマウントディスプレイ使用時、肌に密着する部分には汗・皮脂が付着する。これを複数人で使い回しをするのは衛生上の問題がある。また、長期間使用すると異臭の原因にもなる。
【課題を解決するための手段】
【０００３】
肌に密着する部分に使い捨てのカバーを装着する。
【発明の効果】
【０００４】
感染症の予防や異臭の防止に繋がる。
【０００５】
使い捨てなのでメンテナンスが楽になる。
【図面の簡単な説明】
【０００６】
【図１】装着図
【図２】ヘッドマウントディスプレイ２の利用前に使い捨てカバー１装着して利用する。
【発明を実施するための形態】
【０００７】
ヘッドマウントディスプレイ２の利用前に使い捨てカバー１装着して利用する。
【符号の説明】
【０００８】
１  使い捨てカバー
２  ヘッドマウントディスプレイ
【図１】
2017153053.tif 000003
【図２】
2017153053.tif 000004
(57)【要約】【課題】  従来は突然涙が出る病気でティアバランスの目薬を一日四回目にささなくてはならず、めんどうであった。【解決手段】  鮭を料理して食べるとよい。涙がピタット出なくなる。【特許請求の範囲】
【請求項１】
一部の魚貝類が泣きもしないのに突然涙が出る目の病気に効いて、泣きもしない時には涙が出なくなる。
【発明の詳細な説明】
【技術分野】
【０００１】  本発明は泣きもしないのに涙が突然出るためティアバランスを一日四回目にさして目をうるおわし泣きもしないのに涙が出なくなるようにしていたが、鮭や鮭おむすびを食べると、ティアバランスを目にささなくても涙がピタットとまる。
【背景技術】
【０００２】  従来は突然涙が出ないようにするためティアバランスを一日四回目にさし、目をうるおわしていたが、一日四回も目薬をさすのはめんどくさい。でもティアバランスをさすと、たしかに涙は突然出なかった。
【発明の概要】
【発明が解決しようとする課題】
【０００３】  忙しい毎日、一日四回も目薬をささなくてもよいようにしたい。
【課題を解決するための手段】
【０００４】  鮭や鮭おむすびを食べるとビタット涙が止まる。他の魚、例えば鯖や鰯その他の魚貝類も同様の効果があるかないか、今実験中である。
製薬会社に鮭の成分を分析してもらいサプリメントやのみ薬を作ってもらうとありがたい。
【発明の効果】
【０００５】  一日四回も目薬をさし、さらに病院へ薬をもらいに行く手間が省ける。忙しい人には大変ありがたい。
【発明を実施するための形態】
【実施例】
【０００６】  鮭を焼くか炊くか油であげるか、その他の方法で料理し食べるとよい。
(57)【要約】【課題】電気牧柵線に印加されている衝撃電圧を昼間の明るい（太陽光線下）でも表示が可能な電池レス電気牧柵用電圧検知表示器を提供すること。【解決手段】  大地（Ｅ１）と電圧検知部（Ｋ１）との間に衝撃電圧が印加されＲ１〜Ｒ６で分圧され（Ｒ６，Ｒ５，Ｒ４）の電圧がネオン管（ＮＥ３，ＮＥ２，ＮＥ１）の点灯開始電圧（通常８０ｖ程度）に達するとネオン管が点灯し電流が流れ（Ｄ１，Ｄ２，Ｄ３）のダイオードで整流され（Ｄ１，Ｄ２，Ｄ３）のプラス（＋）マイナス（−）に接続された発光ダイオード（ＬＥＤ１，ＬＥＤ２，ＬＥＤ３）に電流が流れ発光する。【選択図】図３
2017153465.tif 000002
【特許請求の範囲】
【請求項１】
獣害の侵入防止に田畑周りに電気柵を設置し電気牧柵電源から衝撃パルス電圧を印加する獣侵入防止柵に有効電圧が印加されているかを検査表示する電圧検知表示器に高輝度発光ダイオードを用い発光ダイオード駆動電源を必要としないで牧柵電圧を表示する電気牧柵用電圧検知表示器
【請求項２】
発光ダイオードを点灯するためにネンオ管を使用してネオン管を電圧スィツチとして利用した電気柵用電圧検知表示器
【請求項３】
電気牧柵電源の衝撃パルス電圧は極性が各社異なるためにネオン管と直列に極性を揃える整流器をネオン管と直列に接続した電気柵用電圧検知表示器
【請求項４】
電気牧柵電源の衝撃パルス電圧は極性が各社異なるためにネオン管と直列に複数の発光ダイオードを極性が交互に接続し両極性でも表示が可能とした極性表示機能付き電気柵用電圧検知表示器
【発明の詳細な説明】
【技術分野】
【０００１】  本発明は、田畑や果樹園等に侵入して作物に被害を与える猪、その他の野生動物による被害を防止する電気牧柵の柵線に有効な電圧が印加されているかを日中（太陽光線下）でも明るく表示できる電気牧柵用の柵電圧検知表示器である。
【背景技術】
【０００２】  従来の電圧検知表示器は抵抗で分圧された電圧をネオン管で表示するものが一般的に使用されている。
［図１］  一般的な電圧検知表示器の回路図
【発明の開示】
【発明が解決しようとする課題】
【０００３】  しかしながら、ネオン管を使用した表示ではネオン管の発光（波長６００〜７００ｎｍ）が弱く昼間（太陽光線下）では発光の確認判断ができない状況である。夕方からは確認は可能であるが夜間に田畑へ出向くのは危険を伴う。【０００４】  本発明は上記事情に鑑みて成されたものであり、明るい昼間でも電気牧柵の柵線に有効な衝撃電圧が印加されているかを判断可能にする物である。昼間でも判断可能とする高輝度発光ダイオードを使用し明るく表示する電圧検知表示器を提供することを目的とする。
【課題を解決するための手段】
【０００５】  本発明は、上記課題を解決するため、以下の手段を採用する。
柵の電圧を検知する・検出部  ・検出した電圧を分圧し必要な電圧値になると通電するネオン管を利用した通電スイッチ部  ・通電スイッチから流れてくる電圧の極性を揃える整流部  ・整流された電圧を表示する表示器・大地へ接続するためのアース部を備えていることを特徴とする。【０００６】  また、本発明に係る電圧表示部は複数を持ち電圧を多段に表示が可能なＬＥＤ表示器を備えていることを特徴とする。
【発明の効果】
【０００７】  本発明によれば、昼間の明るい時間帯に柵の衝撃電圧を確認でき柵の維持管理（線の張り、草の接触、混線）をすることができる。【０００８】  本発明によれば  通常発光ダイオードを使用するには別電源（電池）が必要であるが衝撃電圧を有効に利用してネオン管を電圧スイッチとして利用して発光させるために発光ダイオードの駆動電源レスで使用可能である。【０００９】  本発明に係る一実施形態について、図２及び図３を参照して説明する。
電気牧柵線に接続する電圧検知部（Ｋ１）  大地へ接続する（Ｅ１）  本体を収める（Ｂ１）  電圧を表示する（ＬＥＤ１，ＬＥＤ２，ＬＥＤ３）部  を備える。【００１０】電圧検知表示器の（Ｅ１）を大地に刺し込む  次に電圧検知部（Ｋ１）を衝撃電圧の印加された作線に接触させる。【００１１】  大地（Ｅ１）と電圧検知部（Ｋ１）との間に衝撃電圧が印加されＲ１〜Ｒ６で電圧が分圧される。
なお（Ｒ１）≧（Ｒ２）≧（Ｒ３）＞（Ｒ６）＞（Ｒ５）＞（Ｒ４）  の関係で設定されている【００１２】（Ｒ６，Ｒ５，Ｒ４）の電圧がネオン管（ＮＥ３，ＮＥ２，ＮＥ１）の点灯開始電圧（通常８０ｖ程度）に達するとネオン管が点灯し電流が流れる。【００１３】  ネオン管が点灯すると（Ｄ１，Ｄ２，Ｄ３）に点灯した電流が流れ。電流は（Ｄ１，Ｄ２，Ｄ３）のダイオードで整流され（Ｄ１，Ｄ２，Ｄ３）のプラス（＋）  マイナス（−）に接続された発光ダイオード（ＬＥＤ１，ＬＥＤ２，ＬＥＤ３）に電流が流れ発光する。【００１４】  電圧検知部（Ｋ１）に印加された電圧が低い場合は（Ｒ６）＞（Ｒ５）＞（Ｒ４）  の関係から設定された電圧部の発光ダイオードが点灯することになる。【００１５】  この発明によれば、昼間の明るい（太陽光線下）状況でも電気牧柵線に衝撃電圧が印加されていれば明るく光る発光ダイオードにより電気牧柵線の電圧を正確に知ることができ電気柵の維持管理が昼間の明るい時間帯に可能となる。【００１６】  なお、本発明は発光ダイオードに別電源を使用しないで明るく電圧を表示できることを特徴とする。【００１７】
【図１】
従来の電気牧柵用電圧検知表示器の回路図である。
【図２】
本発明の一実施形態の外観説明図である。
【図３】
本発明の一実施形態の回路図である。
【図４】
本発明の特徴のネオン管をスィツチとしてＬＥＤを表示する回路を利用して柵線の途中に挿入可能な漏電検知への応用である。
【図５】
極性を揃えずに複数の発光ダイオードを交互接続して極性表示する回路図である。
【符号の説明】
【００１８】Ｋ１    電圧検知部
Ｅ１    大地接続端子
ＮＥ３，ＮＥ２，ＮＥ１  ネオン管
Ｒ１〜Ｒ６  電圧分圧抵抗
Ｂ１    収納ケース
Ｓ１    電気牧柵線
ＳＫ１  電気牧柵  絶縁杭
ＳＫ２  電気牧柵  絶縁碍子
ＬＥＤ１  ＬＥＤ２  ＬＥＤ３  発光ダイオード
Ｄ１  Ｄ２  Ｄ３  ダイオード
ＬＥＤ  発光ダイオード
【図１】
2017153465.tif 000003
【図２】
2017153465.tif 000004
【図３】
2017153465.tif 000005
【図４】
2017153465.tif 000006
【図５】
2017153465.tif 000007
(57)【要約】      （修正有）【課題】人工甘味料を使わないハーブティーを用いた、低カロリーでノンカフェインのゼリーの提供。【解決手段】たんぽぽ根、ステビアを原材料にしたハーブティーに、擬固剤としてアガーを加えて常温に冷まし、固形化したゼリー又はステビアを原材料にしたハーブティーに、粉末状の桑の葉と擬固剤としてアガーを加えて常温に冷まし、固形化したゼリー。【選択図】図１
2017153468.tif 000002
【特許請求の範囲】
【請求項１】
たんぽぽ根、ステビアを原材料にしたハーブティーに、擬固剤としてアガーを加えて常温に冷まし、固形化したことを特徴とするゼリー。
【請求項２】
ステビアを原材料にしたハーブティーに、粉末状の桑の葉と擬固剤としてアガーを加えて常温に冷まし、固形化したことを特徴とするゼリー。
【発明の詳細な説明】
【技術分野】
【０００１】  この発明は、ハーブティーを用いたゼリーの原材料に関する。
【背景技術】
【０００２】  従来のゼリーの原材料は人口甘味料を使用し、コーヒーゼリーや緑茶の抹茶ゼリーなどはカフェインを含んだものである。
【先行技術文献】
【特許文献】
【０００３】
【特許文献１】特開２００５−３２３５８２号公報
【非特許文献】
【０００４】
【非特許文献１】佐々木薫著  「心と体に効くハーブ読本」ＰＨＰビジュアル実用ＢＯＯＫＳ  ２０１０年
【発明の概要】
【発明が解決しようとする課題】
【０００５】  しかしながら、以上の原材料よれば、糖やカフェンインの含有量を気にする必要がある。そこで、この発明は、人口甘味料を使わないハーブティーを用いて、低カロリーでノンカフェインのゼリーを提供することを目的とする。
【課題を解決するための手段】
【０００６】  以上の課題を解決するために、第一発明は、タンポポ根、ステビアを原材料にしたハーブティーに、擬固剤としてアガーを加えて常温に冷まし、固形化したことを特徴とするゼリー。【０００７】  第二発明は、ステビアを原材料にしたハーブティーに、粉末状の桑の葉と擬固剤としてアガーを加えて常温に冷まし、固形化したことを特徴とするゼリー。
【発明の効果】
【０００８】  第一発明、第二発明によれば、ハーブティーに天然甘味料のステビアを使用し、擬固剤として植物由来のアガーを加え、原材料にカフェインを含まない低カロリーのゼリーになった。
【図面の簡単な説明】
【０００９】
【図１】この発明の一実施形態を示す斜視図である。
【発明を実施するための形態】
【００１０】  この発明の一実施形態を、図１に示す。
ゼリーの本体１は、熱湯でいれたハーブティーに、凝固剤であるアガーを加えて常温に冷まし、固形化したことを特徴とする。
【００１１】  以下、第一発明の実施方法を説明する。タンポポ根（タンポポの根を乾燥させて煎ったもの）１０ｇとステビア５ｇをお茶パックに詰めて、一度沸騰させた熱湯４８０ｃｃの入った鍋に入れる。蓋をして１０分間蒸らし、ハーブティーを作成する。お茶パックを取り出した鍋に、アガー１８ｇを水１００ｃｃで溶かしたものをゆっくりと入れる。鍋を弱火にして沸騰させないようにゆっくりとかき混ぜ、とろみがでてきたところで火を止める。６個のゼリーカップに移して２時間程常温に冷ましたら固形化する。
【００１２】  以下、第二発明の実施方法を説明する。ステビア５ｇをお茶パックに詰めて、一度沸騰させた熱湯４８０ｃｃの入った鍋に入れる。蓋をして１０分間蒸らし、ハーブティーを作成する。粉末状の桑の葉５ｇにアガー１８ｇを加えてよくかき混ぜ、水１００ｃｃで溶かし、お茶パックを取り出した鍋にゆっくりと入れる。鍋を弱火にして沸騰させないようにゆっくりとかき混ぜ、とろみがでてきたところで火を止める。６個のゼリーカップに移し、１０分後に沈殿物が底に溜まらないように一度かき混ぜ、２時間程常温に冷ましたら固形化する。
【００１３】「実施形態の効果」
実施形態によれば、カフェイン中毒の防止と、糖尿病や肥満によりエネルギーの摂取を制限する必要がある場合に効果がある。また、アガーはゼラチンと比べて主成分が食物繊維であるため低カロリーで便秘改善の効果があり、寒天と比べて食感がなめらかである。たんぽぽ根のゼリーは味がコーヒーゼリーに似ているので、その代替品として期待できる。桑の葉のゼリーは粉末を直接入れるので、緑茶の抹茶ゼリーに近い深い味わいがある。
【符号の説明】
【００１４】１  ゼリー本体
【図１】
2017153468.tif 000003